(57)【特許請求の範囲】
【請求項１】
タンク車が横付けされる液剤積み込み作業用のステージの上面に固定した一対の固定梁を備え、
該両固定梁に対してそれぞれスライドレールを介してステージから張り出す方向にスライド可能に支持されたスライド梁と、該スライド梁上に立ち上がり配置に支持させた水平手摺部とからなる一対の移動立ち上がり手摺を備え、
該両移動立ち上がり手摺の上部に固定した水平伸縮手摺支持梁に対してそれぞれスライドレールを介して前記ステージから張り出す方向に往復移動自在に支持された１又は互いに伸縮方向にスライド自在に連結した複数の伸縮梁と、該伸縮梁に支持され、前記タンク車上の作業用エリアを囲む配置の水平手摺部とからなる水平伸縮手摺を備えてなるタンク車への液剤積み込み作業用伸縮手摺。
【請求項２】
前記固定梁は、前記ステージ側面に備えた倒伏自在な渡板の立ち上げ状態時における両側部位置まで突設され、前記ステージ縁部から突出した部分の上面に一体に立ち上げた固定立ち上がり手摺を備えてなる請求項１に記載のタンク車への液剤積み込み作業用伸縮手摺。
【請求項３】
前記移動立ち上がり手摺は、前記ステージ側面に備えた倒伏自在な渡板の倒し状態時における先端両側部位置まで張り出し方向にスライドできるようにしてなる請求項１又は２に記載のタンク車への液剤積み込み作業用伸縮手摺。
【請求項４】
前記水平伸縮手摺は、該移動立ち上がり手摺の上部に固定した水平伸縮手摺支持梁に対してスライドレールを介して長さ方向にスライド自在に支持させた第一伸縮梁と、該第一伸縮梁に対してスライドレールを介して長さ方向にスライド自在に支持させた第二伸縮梁と、該第二伸縮梁の先端間に跨らせた連結梁とを備え、前記第二伸縮梁と連結梁の上に水平手摺部を一体に備えている請求項１〜３の何れか１に記載のタンク車への液剤積み込み作業用伸縮手摺。
【請求項５】
前記ステージ上の固定梁と移動立ち上がり手摺との間、及び移動立ち上がり手摺と水平伸縮手摺の伸縮梁との間に、それぞれ異なった吸引力の永久磁石を使用したマグネットチャックを備え、前記水平伸縮手摺に対してステージから張り出す方向の力を作用させた時に、前記固定梁と移動立ち上がり手摺との間マグネットチャックが先に離され、前記水平伸縮手摺が、移動立ち上がり手摺内に縮めた状態に収容された状態で移動立ち上がり手摺が張り出し方向に移動されるようにしてなる請求項１〜４の何れか１に記載のタンク車への液剤積み込み作業用伸縮手摺。
【発明の詳細な説明】
【技術分野】
【０００１】
本発明は、主として石油備蓄基地やオイルターミナルの油槽所において、プラットホーム等のステージからタンク貨車やタンクローリー車等のタンク車に乗り移って給油作業を行う際に使用するタンク車への液剤積み込み作業用伸縮手摺に関する。
【背景技術】
【０００２】
一般に、石油備蓄基地やオイルターミナルの油槽所において行われているタンク貨車やタンクローリー車（以下、単にタンク車と記す）に対するオイル類の積み込み作業は、タンク車上面の注液口とほぼ同高さのステージを構築しておき、そのステージに沿ってタンク車が停車できるようにし、ステージからタンク車上に作業者が乗り移って積込作業を行っている。
【０００３】
この作業は高所での作業であるため、何らかの転落防止策が必要であり、従来は、タンク車に手摺を、不動の直立状態又は倒伏可能な状態に設置したもの（例えば特許文献１，２）がある。
【０００４】
また、タンク車の停止位置上方にハーネスを移動可能に支持させるレールを設置しておき、これに作業者の身体に装着したフルボディハーネスの先端を移動可能に支持させるようにしたものがある。
【０００５】
更に、タンク車の高さの違いに対応させるべく、タンク車停止位置の上方に設置した固定梁に、上下に移動可能な手摺を支持させておき、タンク車の車高に対応させて手摺高さを調整するようにしたもの（例えば特許文献３）がある。
【先行技術文献】
【特許文献】
【０００６】
【特許文献１】特開２００５−３０６３４９号公報
【特許文献２】特開２００２−３０８００５号公報
【特許文献３】特開２００２−８０１００号公報
【発明の開示】
【発明が解決しようとする課題】
【０００７】
上述した従来のタンク車上に手摺を設置しておく方法では、タンク車の重量が増すとともに、車両毎に設置する必要があるため車両価格がその分だけ高くなるという問題がある。
【０００８】
また、ハーネスを使用する方法では、作業者の自由な動きが阻害されて作業者の動作が鈍るため、作業効率が悪いという問題があるとともに、積み込み作業のためのタンク車停止位置上方にハーネス支持用のレールを設置する必要があるが、タンク貨車に対する積み込み設備では、軌道上方に設置できない場合が多くあるという問題がある。
【０００９】
更に、手摺を上下動できるようにタンク車積込停止位置上方に手摺を設ける場合においても、高所から手摺を吊り下げる必要があるため、設備費が高くなるとともに、高さ制限のために設置できない場合が多くあるという問題があった。
【００１０】
本発明は、上述の如き従来の問題に鑑み、タンク車自体に設置する必要がなく、且つタンク車積込停止位置の上方の高さ制限がある場合においても使用ができ、低コストで安全性が高く、使い勝手の良いタンク車への液剤積み込み作業用伸縮手摺の提供を目的としてなされたものである。
【課題を解決するための手段】
【００１１】
上述の如き従来の問題を解決し、所期の目的を達成するための請求項１に記載の発明の特徴は、タンク車が横付けされる液剤積み込み作業用のステージの上面に固定した一対の固定梁を備え、該両固定梁に対してそれぞれスライドレールを介してステージから張り出す方向にスライド可能に支持されたスライド梁と、該スライド梁上に立ち上がり配置に支持させた水平手摺部とからなる一対の移動立ち上がり手摺を備え、該両移動立ち上がり手摺の上部に固定した水平伸縮手摺支持梁に対してそれぞれスライドレールを介して前記ステージから張り出す方向に往復移動自在に支持された１又は互いに伸縮方向にスライド自在に連結した複数の伸縮梁と、該伸縮梁に支持され、前記タンク車上の作業用エリアを囲む配置の水平手摺部とからなる水平伸縮手摺を備えてなるタンク車への液剤積み込み作業用伸縮手摺にある。
【００１２】
請求項２に記載の発明の特徴は、請求項１の構成に加え、前記固定梁は、前記ステージ側面に備えた倒伏自在な渡板の立ち上げ状態時における両側部位置まで突設され、前記ステージ縁部から突出した部分の上面に一体に立ち上げた固定立ち上がり手摺を備えたことにある。
【００１３】
請求項３に記載の発明の特徴は、請求項１又は２何れか１の請求項の構成に加え、前記移動立ち上がり手摺は、前記ステージ側面に備えた倒伏自在な渡板の倒し状態時における先端両側部位置まで張り出し方向にスライドできるようにしたことにある。
【００１４】
請求項４に記載の発明の特徴は、請求項１〜３の何れか１の請求項の構成に加え、前記水平伸縮手摺は、該移動立ち上がり手摺の上部に固定した水平伸縮手摺支持梁に対してスライドレールを介して長さ方向にスライド自在に支持させた第一伸縮梁と、該第一伸縮梁に対してスライドレールを介して長さ方向にスライド自在に支持させた第二伸縮梁と、該第二伸縮梁の先端間に跨らせた連結梁とを備え、前記第二伸縮梁と連結梁の上に水平手摺部を一体に備えていることにある。
【００１５】
請求項５に記載の発明の特徴は、請求項１〜４の何れか１の請求項の構成に加え、前記ステージ上の固定梁と移動立ち上がり手摺との間、及び移動立ち上がり手摺と水平伸縮手摺の伸縮梁との間に、それぞれ異なった吸引力の永久磁石を使用したマグネットチャックを備え、前記水平伸縮手摺に対してステージから張り出す方向の力を作用させた時に、前記固定梁と移動立ち上がり手摺との間マグネットチャックが先に離され、前記水平伸縮手摺が、移動立ち上がり手摺内に縮めた状態に収容された状態で移動立ち上がり手摺が張り出し方向に移動されるようにしたことにある。
【発明の効果】
【００１６】
本発明に係るタンク車への液剤積み込み作業用伸縮手摺においては、タンク車が横付けされる液剤積み込み作業用のステージの上面に固定した一対の固定梁を備え、該両固定梁に対してそれぞれスライドレールを介してステージから張り出す方向にスライド可能に支持されたスライド梁と、該スライド梁上に立ち上がり配置に支持させた水平手摺部とからなる一対の移動立ち上がり手摺を備え、該両移動立ち上がり手摺の上部に固定した水平伸縮手摺支持梁に対してそれぞれスライドレールを介して前記ステージから張り出す方向に往復移動自在に支持された１又は互いに伸縮方向にスライド自在に連結した複数の伸縮梁と、該伸縮梁に支持され、前記タンク車上の作業用エリアを囲む配置の水平手摺部とからなる水平伸縮手摺を備えて構成されていることにより、ステージとタンク車上の作業ステップとの間の最も危険な箇所を、足元から立ち上がった移動立ち上がり手摺によってガードできるとともに、安定性の高いタンク車上のステップ位置は、簡易な構造の水平伸縮手摺とすることができ、タンク車横付け位置の上部に高さ制限がある場合にも、使い勝手が良く、安全性の高いタンク車への液剤積み込み作業用伸縮手摺が提供できる。
【００１７】
また、ステップや低い手摺があるタンク車の上側に水平手摺のみを伸長させることができ、必要な作業スペースが手摺によって囲まれることとなり、ハーネス等の行動の不自由さを伴うことなく、安全に積込作業をなし得る。
【００１８】
本発明では、前記固定梁は、前記ステージ側面に備えた倒伏自在な渡板の立ち上げ状態時における両側部位置まで突設され、前記ステージ縁部から突出した部分の上面に一体に立ち上げた固定立ち上がり手摺を備えることにより、ステージ上から渡板に至る部分の両側部も安全ガードがなされ、転落事故防止がより効果的になされる。
【００１９】
本発明では、前記移動立ち上がり手摺は、前記ステージ側面に備えた倒伏自在な渡板の倒し状態時における先端両側部位置まで張り出し方向にスライドできるようにすることにより、落下した場合に大事故となり易い、タンク車とステージ間の高い位置でのガード性が高く、安全性の高いものとなる。
【００２０】
本発明では、前記水平伸縮手摺は、該移動立ち上がり手摺の上部に固定した水平伸縮手摺支持梁に対してスライドレールを介して長さ方向にスライド自在に支持させた第一伸縮梁と、該第一伸縮梁に対してスライドレールを介して長さ方向にスライド自在に支持させた第二伸縮梁と、該第二伸縮梁の先端間に跨らせた連結梁とを備え、前記第二伸縮梁と連結梁の上に水平手摺部を一体に備えた構造とすることにより、軽量となり、片持ち式の張り出し長さが長い場合にも容易に設置できる。
【００２１】
本発明では、前記ステージ上の固定梁と移動立ち上がり手摺との間、及び移動立ち上がり手摺と水平伸縮手摺の伸縮梁との間に、それぞれ異なった吸引力の永久磁石を使用したマグネットチャックを備え、前記水平伸縮手摺に対してステージから張り出す方向の力を作用させた時に、前記固定梁と移動立ち上がり手摺との間マグネットチャックが先に離され、前記水平伸縮手摺が、移動立ち上がり手摺内に縮めた状態に収容された状態で移動立ち上がり手摺が張り出し方向に移動されるようにすることにより、伸縮手摺の伸長作業に際し、最も基端部にある移動立ち上がり手摺が最初に張り出し方向に移動されることとなり、先に水平伸縮手摺これより先に伸長した場合に比べ、移動立ち上がり手摺を移動させる際に掛かる固定梁への下向きの曲げモーメントが小さくなり、スムーズな伸長がなされる。
【図面の簡単な説明】
【００２２】
【図１】本発明に係るタンク車への液剤積み込み作業用伸縮手摺の実施例を示す手摺伸長状態の側面図である。
【図２】同半分を省略して示す平面図である。
【図３】同正面図である。
【図４】図1に示すタンク車への液剤積み込み作業用伸縮手摺の実施例を示す手摺短縮状態の側面図である。
【図５】図1に示すタンク車への液剤積み込み作業用伸縮手摺に使用しているスライドレールの概略構成を示す斜視図である。
【図６】図1に示すタンク車への液剤積み込み作業用伸縮手摺に使用している第一マグネットチャック取り付け部分を示す部分平面図である。
【図７】同第一、第二マグネットチャック取り付け部分を示す部分平面図である。
【発明を実施するための最良の形態】
【００２３】
次に本発明の実施の形態を図面に示した実施例に基づいて説明する。
【００２４】
図において符号１は、タンク車２が横付けされる液剤積み込み作業用のステージであり、３はステージ１の側面に突設した既存の折りたたみ式の渡板である。この渡板３は、図には詳示してないが、不使用時にはペダルを踏むことによってタンク車その他の車両の通行を妨げないように上向きに立ち上げられるようになっており、図には示してないが、使用時には、押し倒すことによって水平方向に張り出されるようになっている。
【００２５】
この渡板３位置のステージ縁部上に本発明に係るタンク車への液剤積み込み作業用伸縮手摺が設置されている。この伸縮手摺は、ステージ１の上面に固定した固定立ち上がり手摺１１と、固定立ち上がり手摺１１より前方まで移動できる移動立ち上がり手摺１２、該移動立ち上がり手摺１２からさらに前方に延びる水平伸縮手摺１３とから構成されている。尚、ここでいう「立ち上がり」とは、水平面に対して部材等が垂直に立ち上がっている様をいう。
【００２６】
固定立ち上がり手摺１１は、ステージ１の上面にボルトによって固定された一対の固定梁１５，１５と、その上面に立設された支柱部１６，１６と、支柱部上端間を連続させた水平手摺部１７とから構成されている。
【００２７】
固定梁１５，１５は、その間に立ち上げた渡板３が入り込むように固定されており、各固定梁１５，１５は、その先端を渡板３立ち上げ状態における突出長さに相当する長さだけステージ１の上面縁部から突出させ、その突出部分上に水平手摺部１７が位置するように構成されている。
【００２８】
移動立ち上がり手摺１２は、固定梁１５，１５に対してスライドレール２０を介してスライド自在に支持されたスライド梁２１，２１と、そのそれぞれの上面に立設した支柱部２２，２２及びその支柱部２２，２２の上端間を連続させた水平手摺部２３とから構成されている。
【００２９】
この移動立ち上がり手摺１２の張り出し移動長さは、渡板３を水平方向に倒した際の先端部の両側に至る長さに形成されているものであり、渡板３の両側に、この移動立ち上がり手摺１２が移動されて立ち上げられることにより、タンク車２上のステップ４とステージ１間の高所に張り出される渡板３の両側部が、支柱２２と水平手摺部２３とによる手摺によってガードされることとなり、転落事故防止効果が高い。
【００３０】
水平伸縮手摺１３は、移動立ち上がり手摺１２を構成している支柱部２２，２２の上部に水平配置に固定した水平伸縮手摺支持梁２５，２５に対し、それぞれスライドレール２６を介して長さ方向にスライド自在に支持させた一対の第一伸縮梁２７，２７と、その第一伸縮梁２７，２７に対してそれぞれスライドレール２８を介して長さ方向にスライド自在に支持させた第二伸縮梁２９，２９と、この第二伸縮梁２９，２９の先端に跨らせた連結梁３０とを備えており、第二伸縮梁２９，２９と連結梁３０の上に支柱部３１，３１......が立設されその上端を繋ぐ配置にコ字状の水平手摺部３２を一体に備えている。
【００３１】
この水平手摺部３２と前述した第二伸縮梁２９の基端部上に立設した支柱３３との間にチェーン３４が掛け渡され、これも手摺の一部を構成している。
【００３２】
このようにスライドレール２０は、移動立ち上がり手摺１２のスライド梁２１がその全長分が固定立ち上がり手摺１１の固定梁１５に対して伸長方向に相対移動できるようになっており、同様に移動立ち上がり手摺１２の水平伸縮手摺支持梁２５に対して第一伸縮梁２７が、また第一伸縮２７に対して第二伸縮梁２９がそれぞれ各々全長分だけ伸長方向に移動できるようになっている。
【００３３】
したがって、この伸縮手摺は、固定立ち上がり手摺１１の固定梁１５を基端とし、水平伸縮手摺支持梁２５、第一伸縮梁２７及び第二伸縮梁２９の総合計長さ分だけ片持ち式状態で伸長され、短縮時には、固定立ち上がり手摺１１の固定梁１５長さ内に全体が収容されるようになっている。
【００３４】
このように、水平伸縮手摺１３は、最大伸長状態のとき第一、第二の伸縮梁２７，２９に支持させた水平手摺部３２及びチェーン３４によって、タンク車２上の作業用エリアの三方をコ字状に囲むようになっている。
【００３５】
尚、本例の水平伸縮手摺では、第一、第二の２本の伸縮梁２７，２９をスライド可能に連結したものを一対使用しているが、２本以上の複数本又は１本のみをもって構成させても良い
【００３６】
また、先端部の連結梁３０は、必ずしも必要ではなく、水平手摺部３２と兼用させても良い。
【００３７】
スライドレール２０，２６，２８は、図５に示すように、それぞれ第１〜第３のレール材４０，４１，４２を重ね、互いに隣り合うレール材４０と４１及び４１と４２との間にボールベアリングを使用したスライドガイド４３，４４介在されている。
【００３８】
これらのレール材４０〜４２は、同長さに形成されており、互いに隣り合うもの同士の間では、各レール材の全長の半分程度の長さだけ互いに長さ方向にスライドできるようになっており、最大伸長状態時に、隣り合うレール材間の長さ方向の重なり長さ分によってレール材間の曲げ耐力が得られるようになっている。
【００３９】
尚、伸長状態にある時に、最も根本部分あるスライドレール４０には、耐荷重の大きいものを使用し、それより前方に伸長される他のスライドレール４１，４２は、支持する荷重に対応して、耐荷重の小さい軽量なものを使用することが好ましい。
【００４０】
この伸縮手摺は、最も先端にある水平手摺部３２を伸長方向に操作することによって、水平伸縮手摺支持梁２５――第一伸縮梁２７――第二伸縮梁２９の順に伸張されるようにした伸長規制手段が備えられている。この伸長規制手段は、永久磁石を使用した３種類のマグネットチャックにより構成されている。
【００４１】
即ち、図６に示すように、固定立ち上がり手摺１１と移動立ち上がり手摺１２との間が第一マグネットチャック４５によって、また、図7に示すように、移動立ち上がり手摺１２と第一伸縮梁２７との間が第二マグネットチャック４６によって、第一伸縮梁２７と第二伸縮梁２９との間が第三マグネットチャック４７によって、それらの間が互いに短縮状態にあるときに、所定の移動抵抗が加わるようになっている。
【００４２】
第一マグネットチャック４５による離脱抵抗、即ちこれに使用されている永久磁石の吸引力を最も小さくし、第二マグネットチャック４６をその次に小さく、第三マグネットチャック４７を最も大きくしている。これによって、移動立ち上がり手摺１２及び水平伸縮手摺１３を固定立ち上がり手摺１１内に収容した状態に短縮した状態で、最も内側にある水平手摺部３２に伸長方向の力を加えた際に、第二、第三のマグネットチャック４６，４７の吸着が離される前に第一マグネットチャック４５の吸着が離され、固定立ち上がり手摺１１の水平伸縮手摺支持梁２５が伸長方向にスライドされ、次に第二マグネットチャック４６の吸着が離され、第三マグネットチャック４７の離反が最後となるようにしている。
【００４３】
尚、第一マグネットチャック４５は、移動立ち上がり手摺１２の水平伸縮手摺支持梁２５の先端部外側に突設したブラケット５０に固定した永久磁石をもって構成され、これが立ち上がり手摺１１の固定梁１５の端面１５ａを吸着するようにしている。
【００４４】
第二マグネットチャック４６は、第一伸縮梁２７の先端部外側に突設したブラケット５１に固定した永久磁石をもって構成され、これが移動立ち上がり手摺１２の水平伸縮手摺支持梁２５の端面２５ａを吸着するようにしている。
【００４５】
第三マグネットチャック４７は、第二伸縮梁２９の先端部外側に突設したブラケット５２に固定した永久磁石をもって構成され、これが第一伸縮梁２７の端面２７ａを吸着するようにしている。
【００４６】
このように、伸縮手摺の伸長作業に際し、最も基端部にある移動立ち上がり手摺１２が最初に伸長されることにより、先に水平伸縮手摺１３を伸長した場合に比べ、移動立ち上がり手摺１２を移動させる際に掛かる固定梁１５への下向きの曲げモーメントが最も小さくなり、移動がスムーズになされる。
【符号の説明】
【００４７】
１  ステージ
２  タンク車
３  渡板
４  ステップ
１１  固定立ち上がり手摺
１２  移動立ち上がり手摺
１３  水平伸縮手摺
１５  固定梁
１５ａ  端面
１６  支柱部
１７  水平手摺部
２０  スライドレール
２１  スライド梁
２２  支柱部
２３  水平手摺部
２５  水平伸縮手摺支持梁
２５ａ  端面
２６  スライドレール
２７  第一伸縮梁
２７ａ  端面
２８  スライドレール
２９  第二伸縮梁
３０  連結梁
３１  支柱部
３２  水平手摺部
３３  支柱
３４  チェーン
４０，４１，４２  レール材
４３，４４  スライドガイド
４５  第一マグネットチャック
４６  第二マグネットチャック
４７  第三マグネットチャック
５０，５１，５２  ブラケット
【図１】
0005429668.tif 000002
【図２】
0005429668.tif 000003
【図３】
0005429668.tif 000004
【図４】
0005429668.tif 000005
【図５】
0005429668.tif 000006
【図６】
0005429668.tif 000007
【図７】
0005429668.tif 000008